(57)【特許請求の範囲】
【請求項１】
非耐火構造の建造物におけるバルコニー、ベランダ等の防水層保護構造であって、下地面に積層した防水層と、この防水層の全面にわたり張設した不燃保護層とからなり、前記不燃保護層は、底面無機質層と、表面不燃材層と、前記底面無機質層および前記表面不燃材層とを連結する柔軟性介在層とを具え、前記柔軟性介在層は芯材部とその両面に塗被覆した無機質部により構成し、前記芯材部はガラス繊維不織布とこれを包括するガラス繊維メッシュ材で形成され、前記無機質部は樹脂材で固定される無機質片で形成される一方、前記表面不燃材層は柔軟性介在層における前記無機質部を構成する樹脂材に把持固着させた鉱物性砂により構成するとともに、前記底面無機質層は無機質系材の粉粒で形成してなることを特徴とする防水層保護構造。
【請求項２】
非耐火構造の建造物におけるバルコニー、ベランダ等の床面に敷設して床面の保護と不燃化をなすための不燃保護層を形成する部材であって、底面無機質層と、表面不燃材層と、前記底面無機質層および前記表面不燃材層とを連結する柔軟性介在層とを具え、前記柔軟性介在層は芯材部とその両面に塗被覆した無機質部により構成し、前記芯材部はガラス繊維不織布とこれを包括するガラス繊維メッシュ材で形成され、前記無機質部は樹脂材で固定される無機質片で形成される一方、前記表面不燃材層は柔軟性介在層における前記無機質部を構成する樹脂材に把持固着させた鉱物性砂により構成するとともに、前記底面無機質層は無機質系材の粉粒で形成してなり、前記各層が順次積層されて一体となった単一部材として形成されていることを特徴とする不燃保護層形成部材。
【発明の詳細な説明】
【０００１】
【発明の属する技術分野】
本願発明は、雨水その他の水等を流下・排出させる床面である水勾配面、例えば、一戸建て住宅等のベランダ、ルフバルコニー等の防水床面の保護構造、詳しくは前記床面の保護と不燃化の機能を併せ有する防水層保護構造とこれに使用する不燃保護層形成部材に関するものである。
【０００２】
【従来の技術】
近年、一戸建て住宅等において、ベランダ、バルコニー等の下部空間を有効に利用するため居室その他を形成する例が多いが、この場合、降雨等の対策として防水処理が必要となり、下地面に防水層を形成しなければならない。この防水層には外気に晒されること等に起因する劣化防止のための耐候手段、ベランダ等の床面での歩行その他の活動に耐える等の目的で保護層の形成が必要である。一方、建築基準法による指定区域内では、屋根が不燃材で葺かれていなければならないと法で規定されている。したがって、木造建築物のベランダ、バルコニー等床面も不燃化により火災時の飛び火を防止する措置を講ずることが義務づけられている。このため、従来は前記防水層の保護層を（１）モルタル又はコンクリ−トの現場打ちにより形成する措置、（２）コンクリ−ト等の不燃材による成形板の敷設による形成する措置等がなされているのが実情である。
【０００３】
【発明が解決しようとする課題】
しかしながら、上記従来技術のうち、前記（１）にあっては、次のような問題が生じている。
すなわち、（イ）モルタル、コンクリ−トの防水層上面への打ち込みは現場でなすことになるから、保護層としてのモルタル層あるいはコンクリ−ト層の厚みを均一に形成する必要があり、作業が煩雑となり原価コストも増大する。
（ロ）モルタル層あるいはコンクリ−ト層が所定の強度を得るには一定期間の養生が必要であり、これは天候に左右されることが多く、完工までに時間を要する。
（ハ）モルタル層あるいはコンクリ−ト層は、耐火層ならびに防水層の保護層として要求される機能を保持するには所定の厚みが必要であり、一般的に従来のこの種の保護層は、約６０Kg/m2 の重量を有することとなり建物に大きな負担を掛けている。また、上記従来技術のうち、前記（２）にあっては、次のような問題が生じている。
すなわち、（ニ）コンクリ−ト成形板等の単位重量は、約５０Kg/m2 にも達し、施工時に作業者は荷揚げ、設置等において過大な負担を強いられ、かつ建物の重量負担も大きい。
（ホ）コンクリ−ト成形板等は柔軟性に欠けるため、下地部である防水層の不陸部、段差部等における処理が容易でなく、施工後もこれらの箇所においていわゆる「がた」が生じ易い。
（ヘ）ドレ−ン孔周辺、防水層の立ち上がり部等の複雑箇所での施工が難しいことに加え、これら箇所では隙間が生じ易く、適宜の不燃材による充填作業が必要となる。
【０００４】
【課題を解決するための手段】
本願発明は、
非耐火構造の建造物におけるバルコニー、ベランダ等の防水層保護構造を、下地面に積層した防水層と、この防水層の全面にわたり張設した不燃保護層とからなり、前記不燃保護層は、底面無機質層と、表面不燃材層と、前記底面無機質層および前記表面不燃材層とを連結する柔軟性介在層とを具え、前記柔軟性介在層は芯材部とその両面に塗被覆した無機質部により構成し、前記芯材部はガラス繊維不織布とこれを包括するガラス繊維メッシュ材で形成され、前記無機質部は樹脂材で固定される無機質片で形成される一方、前記表面不燃材層は柔軟性介在層における前記無機質部を構成する樹脂材に把持固着させた鉱物性砂により構成するとともに、前記底面無機質層は無機質系材の粉粒で形成する構成となすことにより、上記従来の課題を解決しようとするものである。
【０００５】
さらに、本願発明は、非耐火構造の建造物におけるバルコニー、ベランダ等の床面に敷設して床面の保護と不燃化をなすための不燃保護層を形成する部材であって、底面無機質層と、表面不燃材層と、前記底面無機質層および前記表面不燃材層とを連結する柔軟性介在層とを具え、前記柔軟性介在層は芯材部とその両面に塗被覆した無機質部により構成し、前記芯材部はガラス繊維不織布とこれを包括するガラス繊維メッシュ材で形成され、前記無機質部は樹脂材で固定される無機質片で形成される一方、前記表面不燃材層は柔軟性介在層における前記無機質部を構成する樹脂材に把持固着させた鉱物性砂により構成するとともに、前記底面無機質層は無機質系材の粉粒で形成してなり、前記各層が順次積層されて一体となった単一部材として形成されてなる不燃保護層形成部材を提供して上記従来の課題を解決する。
【０００６】
【発明の実施形態】
図面に基づいて本願発明の実施形態を説明する。図１は、本願に係る防水層保護構造の１実施形態を示す断面図である。図において、１は不燃保護層、２は防水層、３は断熱層、４はベランダ等の床面である下地部である。不燃保護層１は、図２に示すように表面不燃材層１１と、底面無機質層１５および前記表面不燃材層とを連結する柔軟性介在層１４とからなっていて、この柔軟性介在層１４は芯材部１２とこの芯材部１２の両面に塗覆した無機質部１３、１３とで構成されている。
【０００７】
この実施形態で、前記表面不燃材層１１は、前記柔軟性介在層１４上に積層固定された鉱物砂で形成されている。一方、柔軟性介在層１４は、芯材部１２とこの芯材部１２の両面に塗覆した無機質部１３、１３とで構成されているが、この実施形態で芯材部１２はガラス繊維不織布とこれを包括するガラス繊維メッシュ材で形成されており、この芯材部１２の両面には無機質部１３、１３が塗覆されている。そして、無機質部１３は樹脂材で固定された無機質片で形成されている。また、前記底面無機質層１５は、無機質系材の粉粒で形成されている。
【０００８】
この実施形態では、前記不燃保護層１の各層、すなわち底面無機質層１５、表面不燃材層１１、底面無機質層１５と表面不燃材層１１とを連結する柔軟性介在層１４は、順次積層固着されて一体となった単一部材として不燃保護層１を構成している。
【０００９】
図３は、ベランダにおける下地部４に形成された防水層２上に不燃保護層１を接着剤により帖設した状態を示す一部切欠斜視図である。この実施形態において、不燃保護層１は、厚さ2.7mm の所定単位寸法を有する方形状に形成された単位片に成形されたものを使用している。不燃保護層１は、上述の構成になり柔軟性を有して容易にカットできるので、防水層２の不陸部分等の不整合箇所に対する追従性に優れかつドレ−ン孔周辺での敷設も極めて緻密・美麗に施工が可能である。なお、不燃保護層１を上記の構成とすることにより、その重量は約5Kg/m2と、従来のコンクリ−ト成形板等に比較して１／１０となっており、構造体への負担は著しく軽減されている。
【００１０】
ところで、本願に係る不燃保護層１は前述のように、芯材部１２とこの芯材部１２の両面に塗覆した無機質部１３、１３とで構成される柔軟性介在層１４の表面に固着された鉱物性砂の層による表面不燃材層１１有しており、前記鉱物性砂は前記無機質部１３における樹脂材により把持固着されているから、不燃保護層１上における通常の歩行、あるいは軽作業に伴う振動や衝撃は芯材部１２、無機質部１３において吸収されかつ表面不燃材層１１が簡単に剥離してしまう虞はない。
【００１１】
なお、図３において、不燃保護層１は単位片に成形したものを帖設したが、ロ−ル状に形成したものを敷設しても良い。また、実際の施工にあたっては上述の構成になる不燃保護層資材は、法の規定による不燃材としての指定を得たものを使用することになるが、その一例として、特許第９０８５１１号に開示のもの、具体的には名称を「三星フネンシングル」（田島ル−フィング株式会社所有商標）として知られ、建設省不燃認定・不燃［個］第１５５２号に係るものを使用することが可能である。
【００１２】
【発明の効果】
以上説明したように、本願発明は、非耐火構造の建造物におけるバルコニー、ベランダ等の防水層保護構造において、上記の構成を具備するようにしたので、不燃保護層の軽量化により、従来の防水層保護材に比較して取り扱いが極めて容易になり、建物にも過大な重量負担をかけることのなくしかも耐火性能に優れた防水層保護層を低廉なコストで実現できる。さらに、不燃保護層は柔軟性を有して、下地への追従性に優れているので下地の不陸部、段差部あるいはドレ−ン回り等の複雑箇所においても所要の耐火性能を有する防水層保護層を迅速容易に形成できる。
【図面の簡単な説明】
【図１】本願に係る防水層保護構造の１実施形態を示す一部切欠断面図である。
【図２】図１における不燃材層の基本構成を示す斜視図である。
【図３】施工例を示す斜視図である。
【符号の説明】
１．．．不燃保護層、
２．．．防水層、
３．．．断熱層、
４．．．下地部
１１．．表面不燃材層（鉱物性砂）
１２．．芯材部（ガラス繊維不織布、樹脂）
１３．．無機質部
１４．．柔軟性介在層
１５．．底面無機質層
【図１】
0004138108.tif 000002
【図２】
0004138108.tif 000003
【図３】
0004138108.tif 000004